【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
１つまたは複数のエレベータシャフトと、
前記１つまたは複数のエレベータシャフトのそれぞれの中に配置された２台以上のエレベータかごであって、前記２台以上のエレベータかごが、第２エレベータかごの上に配置された少なくとも第１エレベータかごを含み、前記２台以上のかごのそれぞれが、互いに実質的に平行な少なくとも２つの壁を有する、２台以上のエレベータかごと、
各エレベータかごに接続された２本以上のケーブルであって、前記ケーブルの少なくとも１本が各エレベータかごの第１の実質的に平行な壁に配置され、および前記ケーブルの少なくとも別のものが各エレベータかごの第２の実質的に平行な壁に配置される、２本以上のケーブルと、
各かごに接続された１つまたは複数のつり合いおもりと
を含むエレベータシステム。
【請求項２】
各エレベータかごがさらに、各かごに接続された前記２本以上のケーブルの少なくとも１本のケーブルに接続された１つまたは複数の専用リフトモーターと、１つまたは複数の滑車とを含み、関連するエレベータかごに接続された各リフトモーターが、関連するリフトモーターの起動に応答して特定の方向に前記関連するエレベータかごを移動することができる、請求項１に記載のエレベータシステム。
【請求項３】
各かごに結合された関連するリフトモーターに接続された前記ケーブルが、前記かごの前記第１の実質的に平行な壁または前記第２の実質的に平行な壁に結合されたガイドの隣に配置される、請求項２に記載のエレベータシステム。
【請求項４】
各かごの移動中、いずれのケーブルのいかなる部分も格納されない、請求項１に記載のエレベータシステム。
【請求項５】
第１ケーブルおよび第２ケーブルがそれぞれ、滑車を経由して同じリフトモーターに接続され、且つ前記リフトモーターが前記第１および第２ケーブルを調和して引っ張る、請求項２に記載のエレベータシステム。
【請求項６】
１台または複数台のエレベータかごを、１つもしくは複数の上方エレベータシャフトスロットに、または１つもしくは複数の下方エレベータシャフトスロットに格納することができる、請求項１に記載のエレベータシステム。
【請求項７】
前記エレベータかごのそれぞれがさらに、
前記第１の実質的に平行な壁に配置された１つまたは複数のガイドであって、第１エレベータシャフトの実質的に平行な第１のシャフト壁に配置された第１垂直トラックと係合するための１つまたは複数のガイドと、
前記第２の実質的に平行な壁に配置された１つまたは複数のガイドであって、前記第１エレベータシャフトの反対側の実質的に平行な第２のシャフト壁に配置された第２垂直トラックと係合するための１つまたは複数のガイドと
を含む、請求項１に記載のエレベータシステム。
【請求項８】
前記ケーブルのそれぞれが互いに水平方向にまたは垂直方向に分離される、請求項１に記載のエレベータシステム。
【請求項９】
かごに接続された前記ケーブルの１本または複数本がリフトモーターに接続され、およびかごに接続された前記ケーブルの１本または複数本が滑車を経由してつり合いおもりに接続される、請求項１に記載のエレベータシステム。
【請求項１０】
１つまたは複数の滑車をさらに含み、各滑車が、各かごに接続された前記２本以上のケーブルの１本のケーブルと係合するように配置される、請求項１に記載のエレベータシステム。
【請求項１１】
２本以上のケーブルが、個別のつり合いおもりにそれぞれ接続される、請求項１に記載のエレベータシステム。
【請求項１２】
前記つり合いおもりがエレベータかごの２つの反対の側に沿って対称的に配置される、請求項１に記載のエレベータシステム。
【請求項１３】
２つ以上のつり合いおもり走路の組をさらに含み、各つり合いおもり走路がエレベータシャフトを通して１つの個別のつり合いおもりを案内し、および全ての他のつり合いおもり走路から水平方向に分離され、且つ各つり合いおもりおよびつり合いおもり走路が各エレベータシャフト内の前記エレベータかごの垂直経路の外側に配置される、請求項１に記載のエレベータシステム。
【請求項１４】
１つまたは複数のつり合いおもり走路が２つ以上のエレベータシャフト壁のそれぞれに結合され、その結果、前記つり合いおもり走路の１つまたは複数が第１の実質的に平行なエレベータシャフト壁に結合され、および前記つり合いおもり走路の１つまたは複数が第２の実質的に平行なエレベータシャフト壁に結合される、請求項１に記載のエレベータシステム。
【請求項１５】
２つ以上のつり合いおもり走路がエレベータシャフトの少なくとも１つの側面に沿って横並びまたは背中合わせに配置され、２台以上のエレベータかごが同一シャフトを通って独立して移動することを許容する、請求項１に記載のエレベータシステム。
【請求項１６】
つり合いおもり走路の異なる垂直区画内を独立して移動する複数のつり合いおもりをさらに含む、請求項１に記載のエレベータシステム。
【請求項１７】
各つり合いおもり走路が、同一のつり合いおもり走路内で互いに独立して移動する２つ以上のつり合いおもりによって共有可能であり、上方のつり合いおもりが下方のつり合いおもりの上方に垂直方向に整列される、請求項１６に記載のエレベータシステム。
【請求項１８】
関連するつり合いおもりに接続された前記ケーブルの１本または複数本が、各エレベータかごの前記第１の実質的に平行な壁の外側から延びる接続点に結合される、請求項１に記載のエレベータシステム。
【請求項１９】
複数のエレベータかごがシャフトを通して異なる限定距離を移動し、構造物内の１つの階から別の階へ移動するために乗員が他のシャフトの他のかごに移動することを許容する、請求項１に記載のエレベータシステム。
【請求項２０】
前記エレベータかごの少なくとも１つが、下方の階から上方の階へ途中階に停止することなく急行し、本明細書中で以後急行かごと呼ばれ、それにより前記急行かごが局所的な上方の階のグループにサービスを提供し、およびその後前記下方の階へ急行して戻る、請求項１に記載のエレベータシステム。
【請求項２１】
各私用エレベータかごが隣接階のグループの間でのみ独立して移動するようにエレベータシャフトが複数の私用エレベータかごの専用とされ且つそれらに限定され、前記私用エレベータかごのそれぞれは構造物内の隣接階のグループの占有者によってのみ使用される、請求項１に記載のエレベータシステム。
【請求項２２】
構造物内の隣接階のグループごとに２台の私用エレベータかごをさらに含み、隣接階のグループごとに第１の共有可能なエレベータスロットと第２の共有可能なエレベータスロットとが存在し、且つ各第１の共有可能なエレベータスロットおよび各第２の共有可能なエレベータスロットは、異なる時間に隣接する私用エレベータによって共有されることができる、請求項２１に記載のエレベータシステム。
【請求項２３】
各かごに接続された前記２本以上のケーブルの少なくとも１本のケーブルに接続された１つまたは複数のリフトモーターをさらに含み、リフトモーターに接続された各ケーブルがつり合いおもりに接続されない、請求項１に記載のエレベータシステム。
【請求項２４】
かごに接続された前記２本以上のケーブルの前記ケーブルの少なくとも１本が第１リフトモーターに接続され、および前記ケーブルの少なくとも１本の他のケーブルがつり合いおもりに接続される、請求項２３に記載のエレベータシステム。